(57)【特許請求の範囲】
【請求項１】
測定機器と、前記測定機器を制御する制御手段とを備え、前記測定機器にて測定された被測定物のデータを収集するデータ収集装置であって、
前記制御手段に文字列データを収集させるための収集用信号を出力する収集用の信号出力手段を備え、
前記制御手段は、
１つの前記収集用信号と、複数の文字を含む任意の文字列データとの関連付けを設定させる文字列設定部と、
前記収集用信号が出力されると、前記収集用信号に関連付けられた文字列データを収集するデータ収集部とを備えることを特徴とするデータ収集装置。
【請求項２】
請求項１に記載のデータ収集装置において、
前記制御手段に所定の動作をさせるための動作用信号を出力する動作用の信号出力手段を備え、
前記制御手段は、
前記動作用信号と、前記所定の動作との関連付けを設定させる動作設定部と、
前記動作用信号が出力されると、前記動作用信号に関連付けられた動作を実行する動作実行部とを備えることを特徴とするデータ収集装置。
【請求項３】
請求項１または請求項２に記載のデータ収集装置において、
前記信号出力手段は、フットスイッチで構成されることを特徴とするデータ収集装置。
【発明の詳細な説明】
【技術分野】
【０００１】
本発明は、測定機器にて測定されたデータを収集するデータ収集装置に関する。
【背景技術】
【０００２】
従来、製品の出荷検査や、部品の受け入れ検査などの検査において、測定機器にて測定された被測定物のデータ（以下、測定データとする）を収集するデータ収集装置が知られている（例えば、特許文献１参照）。
特許文献１に記載の計測データ収集装置（データ収集装置）は、計測器（測定機器）から入力される測定データの形式を変更する計測器インターフェイス部を備え、この計測器インターフェイス部にて測定データの形式を変更することによって、異なる種類の計測器から入力される測定データや、キーボードなどを介して入力される外観検査の良否に関する文字列データなどを収集することができる。
【先行技術文献】
【特許文献】
【０００３】
【特許文献１】特開２００３−２７２０７４号公報
【発明の概要】
【発明が解決しようとする課題】
【０００４】
しかしながら、特許文献１に記載の計測データ収集装置では、使用者は、例えば、「合格」や、「不合格」などの外観検査の良否に関する文字列データは、キーボードなどを介して入力しなければならないので、データの収集に手間がかかり、検査効率が低下するという問題がある。
【０００５】
本発明の目的は、容易に文字列データを収集することができ、検査効率を向上させることができるデータ収集装置を提供することにある。
【課題を解決するための手段】
【０００６】
本発明のデータ収集装置は、測定機器と、前記測定機器を制御する制御手段とを備え、前記測定機器にて測定された被測定物のデータを収集するデータ収集装置であって、前記測定機器を制御する制御手段と、前記制御手段に文字列データを収集させるための収集用信号を出力する収集用の信号出力手段とを備え、前記制御手段は、１つの前記収集用信号と、複数の文字を含む任意の文字列データとの関連付けを設定させる文字列設定部と、前記収集用信号が出力されると、前記収集用信号に関連付けられた文字列データを収集するデータ収集部とを備えることを特徴とする。
【０００７】
このような構成によれば、データ収集装置は、文字列設定部を備えるので、使用者は、文字列設定部を介して収集用信号と、例えば、「合格」や、「不合格」などの外観検査の良否に関する文字列データとの関連付けを設定することができる。また、データ収集装置は、収集用の信号出力手段を備えるので、使用者は、信号出力手段に収集用信号を出力させることによって、収集用信号に関連付けられた文字列データをデータ収集部に収集させることができる。したがって、本発明によれば、データ収集装置は、信号出力手段にて収集用信号を出力することによって、容易に文字列データを収集することができ、検査効率を向上させることができる。
【０００８】
本発明では、前記制御手段に所定の動作をさせるための動作用信号を出力する動作用の信号出力手段を備え、前記制御手段は、前記動作用信号と、前記所定の動作との関連付けを設定させる動作設定部と、前記動作用信号が出力されると、前記動作用信号に関連付けられた動作を実行する動作実行部とを備えることが好ましい。
【０００９】
このような構成によれば、データ収集装置は、動作設定部を備えるので、使用者は、動作設定部を介して動作用信号と、例えば、データの「印刷」や、「保存」などの所定の動作との関連付けを設定することができる。また、データ収集装置は、動作用の信号出力手段を備えるので、信号出力手段に動作用信号を出力させることによって、動作用信号に関連付けられた所定の動作を動作実行部に実行させることができる。したがって、本発明によれば、データ収集装置は、信号出力手段にて動作用信号を出力することによって、容易に所定の動作を実行することができ、検査効率を向上させることができる。
【００１０】
本発明では、前記信号出力手段は、フットスイッチで構成されることが好ましい。
【００１１】
ここで、製品の出荷検査や、部品の受け入れ検査などの検査は、油や粉塵などが使用者の手に付着しやすい環境で行われることが多いので、例えば、信号出力手段をマウスやキーボードなどで構成すると、マウスやキーボードなどを操作して収集用信号や、動作用信号を出力させる際に使用者の手に付着した油や粉塵などがマウスやキーボードなどに付着してしまうという問題がある。
本発明によれば、信号出力手段は、フットスイッチで構成されるので、マウスやキーボードなどを操作することなく収集用信号や、動作用信号を出力させることができる。したがって、使用者の手に付着した油や粉塵などがマウスやキーボードなどに付着してしまうことを防止することができる。
【図面の簡単な説明】
【００１２】
【図１】本発明の一実施形態に係るデータ収集装置を示す図。
【図２】本発明の一実施形態に係るＰＣ本体の詳細構成を示すブロック図。
【図３】本発明の一実施形態に係る文字列設定部にてフットスイッチと、任意の文字列データとの関連付けを設定させている状態の一例を示す図。
【図４】本発明の一実施形態に係る動作設定部にてフットスイッチと、所定の動作との関連付けを設定させている状態の一例を示す図。
【図５】本発明の一実施形態に係るディスプレイに表示される検査用シートを示す図。
【図６】本発明の一実施形態に係る検査用シートにデータを収集している状態を示す図。
【発明を実施するための形態】
【００１３】
以下、本発明の一実施形態を図面に基づいて説明する。
図１は、本発明の一実施形態に係るデータ収集装置１を示す図である。
データ収集装置１は、図１に示すように、ノギス１０と、ノギス１０を制御するＰＣ（Personal Computer）２とを備え、製品の出荷検査や、部品の受け入れ検査などの検査において、ノギス１０にて測定された被測定物（図示略）のデータを収集するものである。また、データ収集装置１は、ＰＣ２にＵＳＢハブ３を介して接続される４つのフットスイッチ４（４Ａ〜４Ｄ）を備える。なお、本実施形態では、被測定物の寸法を測定するノギス１０を測定機器として例示している。
【００１４】
制御手段としてのＰＣ２は、ＰＣ本体２１と、文字列データを入力させるキーボード２２と、データ収集装置１にて収集されるデータを表示させるディスプレイ２３とを備える。
ノギス１０は、ＰＣ２からの要求に応じてＰＣ２に測定データを出力するものであり、ＰＣ２にＵＳＢハブ３を介して接続されている。
【００１５】
図２は、ＰＣ本体２１の詳細構成を示すブロック図である。
ＰＣ本体２１は、ＣＰＵ（Central Processing Unit）や、メモリなどで構成され、図２に示すように、文字列設定部２１１と、データ収集部２１２と、動作設定部２１３と、動作実行部２１４と、ＰＣ本体２１で用いられる情報を記憶する記憶部２１５とを備える。なお、記憶部２１５には、データ収集装置１にてデータを収集するための検査プログラムが記憶されている。そして、データ収集装置１は、この検査プログラムを実行することでデータを収集する。
【００１６】
文字列設定部２１１は、フットスイッチ４と、任意の文字列データとの関連付けを設定させる。
データ収集部２１２は、文字列設定部２１１にて文字列データが関連付けられたフットスイッチ４が操作されると、操作されたフットスイッチ４に関連付けられた文字列データを収集する。
動作設定部２１３は、フットスイッチ４と、所定の動作との関連付けを設定させる。
動作実行部２１４は、動作設定部２１３にて所定の動作が関連付けられたフットスイッチ４が操作されると、操作されたフットスイッチ４に関連付けられた動作を実行する。
【００１７】
図３は、文字列設定部２１１にてフットスイッチ４と、任意の文字列データとの関連付けを設定させている状態の一例を示す図である。
文字列設定部２１１は、図３に示すように、ディスプレイ２３にメニュー画面Ｍ１を表示させることによって、使用者に、フットスイッチ４と、任意の文字列データとの関連付けを設定させる。
なお、メニュー画面Ｍ１では、フットスイッチ４Ａ〜４Ｄは、プルダウンメニューＭ１１から選択することができる。また、文字列データは、キーボード２２を介してテキストボックスＭ１２に入力することができる。そして、文字列設定部２１１は、ＯＫボタンＭ１３が押下されると、フットスイッチ４と、任意の文字列データとの関連付けを記憶部２１５に記憶させる。
【００１８】
本実施形態では、図３（Ａ）に示すように、フットスイッチ４Ａと、文字列データ「合格」との関連付けを設定している。また、図３（Ｂ）に示すように、フットスイッチ４Ｂと、文字列データ「不合格」との関連付けを設定している。すなわち、フットスイッチ４Ａ，４Ｂは、ＰＣ２に文字列データを収集させるための収集用信号を出力する収集用の信号出力手段として機能し、データ収集部２１２は、収集用信号が出力されると、出力された収集用信号に関連付けられた文字列データを収集する。
【００１９】
図４は、動作設定部２１３にてフットスイッチ４と、所定の動作との関連付けを設定させている状態の一例を示す図である。
動作設定部２１３は、図４に示すように、ディスプレイ２３にメニュー画面Ｍ２を表示させることによって、使用者に、フットスイッチ４と、所定の動作との関連付けを設定させる。
なお、メニュー画面Ｍ２では、フットスイッチ４Ａ〜４Ｄは、プルダウンメニューＭ２１から選択することができる。また、所定の動作は、プルダウンメニューＭ２２から選択することができ、前述したデータの「要求」、及び「印刷」の他、データの「キャンセル」、「スキップ」、及び「保存」などの動作を選択することができる。そして、動作設定部２１３は、ＯＫボタンＭ２３が押下されると、フットスイッチ４と、所定の動作との関連付けを記憶部２１５に記憶させる。
【００２０】
本実施形態では、図４（Ａ）に示すように、フットスイッチ４Ｃと、データの「要求」との関連付けを設定している。また、図４（Ｂ）に示すように、フットスイッチ４Ｄと、データの「印刷」との関連付けを設定している。すなわち、フットスイッチ４Ｃ，４Ｄは、ＰＣ２に所定の動作をさせるための動作用信号を出力する動作用の信号出力手段として機能し、動作実行部２１４は、動作用信号が出力されると、出力された動作用信号に関連付けられた動作を実行する。
【００２１】
次に、データ収集装置１にてデータを収集する方法について説明する。
図５は、ディスプレイ２３に表示される検査用シート５を示す図である。
データ収集装置１は、記憶部２１５に記憶された検査プログラムが実行されると、図５に示すように、検査用シート５をディスプレイ２３に表示させる。
検査用シート５は、ＰＣ２からの要求に応じてノギス１０から出力される測定データを収集する測定データ領域５１（図５中一点鎖線）と、文字列データを収集する文字列データ領域５２（図５中破線）とで構成されている。なお、検査用シート５のその他の領域には、データが予め入力されている。
【００２２】
そして、データ収集装置１の使用者は、フットスイッチ４Ａ〜４Ｃを操作することによって、検査用シート５におけるアクティブ領域５Ａ（図５中斜線で示す領域）にデータを収集する。
ここで、アクティブ領域５Ａは、フットスイッチ４Ａ〜４Ｃが操作されてデータが収集される度に、図５中矢印で示すように、予め設定されている順序に従って移動する。具体的に、被測定物Ｘ１について、縦、横、高さ、及び外観のデータを収集した後、被測定物Ｘ２について、同様に縦、横、高さ、及び外観のデータを収集する。そして、被測定物Ｘ３以降についても被測定物Ｘ１，Ｘ２と同様に縦、横、高さ、及び外観のデータを収集する。
【００２３】
図６は、検査用シート５にデータを収集している状態を示す図である。
例えば、図５、及び図６（Ａ）に示すように、文字列データ領域５２にアクティブ領域５Ａがある場合には、使用者は、被測定物Ｘの外観を観察し、「合格」の場合には、フットスイッチ４Ａを操作し、「不合格」の場合には、フットスイッチ４Ｂを操作することによって、図６（Ｂ）に示すように、アクティブ領域５Ａに文字列データを収集する。なお、文字列データ領域５２にアクティブ領域５Ａがある場合に、所定の動作と関連付けられたフットスイッチ４Ｃ，４Ｄが操作されると、データ収集装置１は、エラーメッセージをディスプレイ２３に表示させる。また、図６では、使用者は、フットスイッチ４Ａを操作し、データ収集装置１に「合格」の文字列データを収集させている。アクティブ領域５Ａに文字列データが収集されると、アクティブ領域５Ａは、予め設定されている順序に従って移動する。
【００２４】
また、例えば、図５、及び図６（Ｂ）に示すように、測定データ領域５１にアクティブ領域５Ａがある場合には、使用者は、ノギス１０にて被測定物Ｘの縦、横、または高さを測定し、フットスイッチ４Ｃを操作することによって、アクティブ領域５Ａに測定データを収集する。なお、測定データ領域５１にアクティブ領域５Ａがある場合に、任意の文字列データと関連付けられたフットスイッチ４Ａ，４Ｂが操作されると、データ収集装置１は、エラーメッセージをディスプレイ２３に表示させる。
そして、使用者は、全ての被測定物Ｘを測定した後、フットスイッチ４Ｄを操作することによって、検査用シート５に収集されたデータを印刷する。
【００２５】
このような本実施形態によれば以下の効果がある。
（１）データ収集装置１は、フットスイッチ４Ａ，４Ｂにて収集用信号を出力することによって、容易に文字列データを収集することができ、検査効率を向上させることができる。
（２）データ収集装置１は、フットスイッチ４Ｃ，４Ｄにて動作用信号を出力することによって、容易に所定の動作を実行することができ、検査効率を向上させることができる。
（３）信号出力手段は、フットスイッチ４で構成されるので、マウスやキーボード２２などを操作することなく収集用信号や、動作用信号を出力させることができる。したがって、使用者の手に付着した油や粉塵などがマウスやキーボード２２などに付着してしまうことを防止することができる。
【００２６】
〔実施形態の変形〕
なお、本発明は前記実施形態に限定されるものではなく、本発明の目的を達成できる範囲での変形、改良等は本発明に含まれるものである。
例えば、前記実施形態では、信号出力手段としてフットスイッチ４を採用していたが、例えば、マウスのボタンや、キーボードにおける所定のキーや、データ収集装置に接続されたフットスイッチとは異なる種類のスイッチなどを採用してもよい。要するに、信号出力手段は、制御手段に文字列データを収集させるための収集用信号や、制御手段に所定の動作をさせるための動作用信号を出力することができるものであればよい。
【００２７】
前記実施形態では、収集用の信号出力手段と、動作用の信号出力手段とは、別々のフットスイッチ４Ａ〜４Ｄで構成されていたが、同一の機器で構成してもよい。例えば、収集用の信号出力手段と、動作用の信号出力手段とを同一のマウスで構成し、クリックの回数に応じて収集用信号を出力するか、動作用信号を出力するかを選択できるようにしてもよい。
前記実施形態では、ＰＣ２に被測定物Ｘのデータを収集させるための動作用信号を出力するフットスイッチ４Ｃは、ＰＣ２にＵＳＢハブ３を介して接続されていたが、制御手段に被測定物のデータを収集させるための動作用信号を出力する動作用の信号出力手段は、測定機器や、測定機器、及び制御手段を接続するためのケーブルのコネクタなどに設けられていてもよい。
【産業上の利用可能性】
【００２８】
本発明は、測定機器にて測定されたデータを収集するデータ収集装置に好適に利用することができる。
【符号の説明】
【００２９】
１…データ収集装置
２…ＰＣ（制御手段）
４Ａ，４Ｂ…フットスイッチ（収集用の信号出力手段）
４Ｃ，４Ｄ…フットスイッチ（動作用の信号出力手段）
１０…ノギス（測定機器）
２１１…文字列設定部
２１２…データ収集部
２１３…動作設定部
２１４…動作実行部
【図１】
0005416030.tif 000002
【図２】
0005416030.tif 000003
【図３】
0005416030.tif 000004
【図４】
0005416030.tif 000005
【図５】
0005416030.tif 000006
【図６】
0005416030.tif 000007